(57)【特許請求の範囲】
【請求項１】
第１発見信号をユーザ機器（ＵＥ）により判断する段階と、
前記第１発見信号をエンコードした後に、前記第１発見信号のｋ個の冗長バージョン（ＲＶ）（ｋは１以上の正の整数）のそれぞれの初期位置を前記ＵＥにより得る段階と、
前記ｋ個のＲＶのうちｆ個のＲＶ（ｆは、１以上でありｋ以下である正の整数）のそれぞれの初期位置に従って、前記ｆ個のＲＶのうち各ＲＶを第１リソース位置の少なくとも２つの物理リソースブロックペア（ＰＲＢ  Ｐａｉｒ）に、前記ＵＥにより別々にマッピングする段階と、
前記第１リソース位置において、前記第１発見信号の前記ｆ個のＲＶを前記ＵＥにより送信する段階と
を備え、
第１発見信号をＵＥにより判断する前記段階は、
前記第１発見信号の長さを前記ＵＥにより判断する段階と、
前記第１発見信号の前記長さに従って、前記第１発見信号の任意のＲＶがｎ個のＰＲＢ  Ｐａｉｒ（ｎは２以上の正の整数）を占有すると前記ＵＥにより判断する段階と、
前記第１発見信号内の第１インジケーション情報を前記ＵＥにより構成する段階であって、前記第１インジケーション情報は、前記第１発見信号により占有されるＰＲＢ  Ｐａｉｒの数ｊを示すのに用いられ、ｊは、ｆでｎを乗算することにより得られる値と等しく、ｆは、前記第１リソース位置において前記ＵＥにより送信されるＲＶの数である、段階と
を有する
送信方法。
【請求項２】
前記第１リソース位置は、ｊ個のＰＲＢ  Ｐａｉｒおよびｍ個のサブフレーム（ｍは１以上の正の整数、ｊは１より大きな正の整数、ｊ≧ｍ）を含むｈ個のリソース位置（ｈは１より大きな正の整数）のうち１つであり、前記ｈ個のリソース位置は重ならない、請求項１に記載の送信方法。
【請求項３】
前記ｈ個のリソース位置において、隣接するリソース位置のうち後者のリソース位置にある最初のＰＲＢ  Ｐａｉｒの番号は、１に、前記隣接するリソース位置のうち前者のリソース位置の最後のＰＲＢ  ｐａｉｒの番号を加えたものであり、一連の前記ｈ個のリソース位置はまず周波数領域に従って、それから時間領域に従って判断され、各リソース位置にあるＰＲＢ  Ｐａｉｒの番号は連続的である、請求項２に記載の送信方法。
【請求項４】
前記ｈ個のリソース位置において、隣接するリソース位置のうち後者のリソース位置にある最初のＰＲＢ  Ｐａｉｒの番号は、１に、前記隣接するリソース位置のうち前者のリソース位置の最後のＰＲＢ  ｐａｉｒの番号を加えたものであり、一連の前記ｈ個のリソース位置はまず時間領域に従って、それから周波数領域に従って判断され、各リソース位置にあるＰＲＢ  Ｐａｉｒの番号は連続的である、請求項２に記載の送信方法。
【請求項５】
前記ｋ個のＲＶのうちｆ個のＲＶのそれぞれの初期位置に従って、前記ｆ個のＲＶのうち各ＲＶを第１リソース位置の少なくとも２つの物理リソースブロックペアＰＲＢ  Ｐａｉｒに、前記ＵＥにより別々にマッピングする前記段階は具体的に、
前記ｋ個のＲＶのうち前記ｆ個のＲＶの前記それぞれの初期位置に従って、前記ｆ個のＲＶのうち各ＲＶを前記第１リソース位置の前記少なくとも２つの物理リソースブロックペアＰＲＢ  Ｐａｉｒに、前記ＵＥにより別々にマッピングする段階であって、前記ｆ個のＲＶのうち各ＲＶの、前記少なくとも２つのＰＲＢ  Ｐａｉｒへの一連のマッピングは、まず周波数領域に従って、それから時間領域に従って判断される、段階を有する、請求項１から４の何れか一項に記載の送信方法。
【請求項６】
前記ｋ個のＲＶのうちｆ個のＲＶのそれぞれの初期位置に従って、前記ｆ個のＲＶのうち各ＲＶを第１リソース位置の少なくとも２つの物理リソースブロックペアＰＲＢ  Ｐａｉｒに、前記ＵＥにより別々にマッピングする前記段階は、
前記ｋ個のＲＶのうち前記ｆ個のＲＶの前記それぞれの初期位置に従って、前記ｆ個のＲＶのうち各ＲＶを前記第１リソース位置の前記少なくとも２つの物理リソースブロックペアＰＲＢ  Ｐａｉｒに、前記ＵＥにより別々にマッピングする段階であって、前記ｆ個のＲＶのうち各ＲＶの、前記少なくとも２つのＰＲＢ  Ｐａｉｒへの一連のマッピングは、まず時間領域に従って、それから周波数領域に従って判断される、段階を有する、請求項１から４の何れか一項に記載の送信方法。
【請求項７】
プロセッサと、
トランシーバと、
メモリと、
通信バスと
を備え、
前記通信バスは、前記プロセッサと、前記トランシーバと、前記メモリとの間の接続および通信のために構成され、
前記トランシーバは、前記ＵＥと外部との間の通信のために構成され、
前記プロセッサは、前記メモリに格納されているプログラムコードを呼び出して、請求項１から６の何れか一項に記載の送信方法を実行するよう構成されている、ユーザ機器（ＵＥ）。
【発明の詳細な説明】
【技術分野】
【０００１】
本願発明は通信分野に関し、特に送信方法およびユーザ機器に関する。
【背景技術】
【０００２】
通信技術の発達と共に、ユーザ機器とユーザ機器との間の近接サービス（英語でのフルネームは、Ｄｅｖｉｃｅ  ｔｏ  Ｄｅｖｉｃｅ  Ｐｒｏｘｉｍｉｔｙ  Ｓｅｒｖｉｃｅ、英語での略称は、Ｄ２Ｄ  ＰｒｏＳｅ）が第３世代パートナーシッププロジェクト（英語でのフルネームは、Ｔｈｅ  ３ｒｄ  Ｇｅｎｅｒａｔｉｏｎ  Ｐａｒｔｎｅｒｓｈｉｐ  Ｐｒｏｊｅｃｔ、英語での略称は、３ＧＰＰ）ロングタームエボリューション（英語でのフルネームは、Ｌｏｎｇ  Ｔｅｒｍ  Ｅｖｏｌｕｔｉｏｎ、英語での略称は、ＬＴＥ）システムのリリース１２（英語でのフルネームは、Ｒｅｌｅａｓｅ  １２、英語での略称は、Ｒｅｌ．１２）システムの研究対象となっており、Ｒｅｌ．１２システム以降、サポートされている。
【０００３】
Ｄ２Ｄ  ＰｒｏＳｅの物理層の研究のプロセスにおいて、発見信号の送信およびその発見信号の受信が関与している。現在、発見信号の各冗長バージョン（英語でのフルネームは、Ｒｅｄｕｎｄａｎｃｙ  Ｖｅｒｓｉｏｎ、英語での略称は、ＲＶ）が１つの物理リソースブロックペア（英語でのフルネームは、Ｐｈｙｓｉｃａｌ  ｒｅｓｏｕｒｃｅ  ｂｌｏｃｋ  ｐａｉｒ、英語での略称は、ＰＲＢ  Ｐａｉｒ）でのみ、送信され得る。発見信号の１つのＲＶの送信される符号化ビットが１つより多くのＰＲＢ  Ｐａｉｒを占有する必要がある場合、発見信号の全てのＲＶが送信されるときであっても全ての符号化ビットのエリアが依然として網羅され得ず、このことは、エンコードおよびデコード性能の悪化を引き起こす。
【発明の概要】
【０００４】
本願発明の複数の実施形態は、発見信号のエンコードおよびデコード性能を改善出来る送信方法およびユーザ機器を提供する。
【０００５】
先述の目的を達成すべく、本願発明の複数の実施形態は以下の技術的解決法を用いる。
【０００６】
第１の態様によると、送信方法が提供され、同方法は、第１発見信号をユーザ機器ＵＥにより判断する段階と、
第１発見信号をエンコードした後に、第１発見信号のｋ個の冗長バージョンＲＶ（ｋは１以上の正の整数）のそれぞれの初期位置をＵＥにより得る段階と、
ｋ個のＲＶのうちｆ個のＲＶ（ｆは、１以上でありｋ以下である正の整数）のそれぞれの初期位置に従って、ｋ個のＲＶのうち各ＲＶを第１リソース位置の少なくとも２つの物理リソースブロックペアＰＲＢ  Ｐａｉｒに、ＵＥにより別々にマッピングする段階と、
第１リソース位置において、第１発見信号のｆ個のＲＶをＵＥにより送信する段階と
を備える。
【０００７】
第１の態様に関連し、第１の態様の第１の可能な実装態様において、
第１発見信号をＵＥにより判断する段階は、
第１発見信号の長さをＵＥにより判断する段階と、
第１発見信号の長さに従って、第１発見信号の任意のＲＶがｎ個のＰＲＢ  Ｐａｉｒ（ｎは２以上の正の整数）を占有するとＵＥにより判断する段階と、
第１発見信号内の第１インジケーション情報をＵＥにより構成する段階であって、第１インジケーション情報は、第１発見信号により占有されるＰＲＢ  Ｐａｉｒの数ｊを示すのに用いられ、ｊは、ｆでｎを乗算することにより得られる値と等しく、ｆは、第１リソースにおいてＵＥにより送信されるＲＶの数である、段階と
を有する。
【０００８】
第１の態様、または第１の態様の第１の可能な実装態様に関連し、第１の態様の第２の可能な実装態様において、第１リソース位置は、ｊ個のＰＲＢ  Ｐａｉｒおよびｍ個のサブフレーム（ｍは１以上の正の整数、ｊは１より大きな正の整数、ｊ≧ｍ）を含むｈ個のリソース位置（ｈは１より大きな正の整数）のうち１つであり、ｈ個のリソース位置は重ならない。
【０００９】
第１の態様の第２の可能な実装態様に関連し、第１の態様の第３の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず周波数領域に従って、それから時間領域に従って判断され、各リソース位置にあるＰＲＢ  Ｐａｉｒの番号は連続的である。
【００１０】
第１の態様の第２の可能な実装態様に関連し、第１の態様の第４の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず時間領域に従って、それから周波数領域に従って判断され、各リソース位置にあるＰＲＢ  Ｐａｉｒの番号は連続的である。
【００１１】
第１の態様から第１の態様の第４の可能な実装態様に関連し、第１の態様の第５の可能な実装態様において、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに、ＵＥにより別々にマッピングする段階は、
ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに、ＵＥにより別々にマッピングする段階であって、ｆ個のＲＶのうち各ＲＶの、少なくとも２つのＰＲＢ  Ｐａｉｒへの一連のマッピングは、まず周波数領域に従って、それから時間領域に従って判断される、段階を有する。
【００１２】
第１の態様から第１の態様の第４の可能な実装態様に関連し、第１の態様の第６の可能な実装態様において、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに、ＵＥにより別々にマッピングする段階は具体的に、
ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに、ＵＥにより別々にマッピングする段階であって、ｆ個のＲＶのうち各ＲＶの、少なくとも２つのＰＲＢ  Ｐａｉｒへの一連のマッピングは、まず時間領域に従って、それから周波数領域に従って判断される、段階である。
【００１３】
第２の態様によると、ユーザ機器ＵＥが提供され、ＵＥは、
判断ユニットと、
エンコードユニットと、
マッピングユニットと、
送信ユニットと
を備え、
判断ユニットは、第１発見信号を判断するよう構成されており、
エンコードユニットは、判断ユニットにより判断された第１発見信号をエンコードし、これにより、第１発見信号のｋ個の冗長バージョンＲＶ（ｋは１以上の正の整数）のそれぞれの初期位置を得るよう構成されており、
マッピングユニットは、エンコードユニットにより得られたｋ個のＲＶのうちｆ個のＲＶ（ｆは１以上でありｋ以下である正の整数）のそれぞれの初期位置に従って、ｆ個のＲＶのうち各ＲＶを、第１リソース位置の少なくとも２つの物理リソースブロックペアＰＲＢ  Ｐａｉｒに別々にマッピングするよう構成されており、
送信ユニットは、第１リソース位置において第１発見信号のｆ個のＲＶを送信するよう構成されている。
【００１４】
第２の態様に関連し、第２の態様の第１の可能な実装態様において、
判断ユニットは具体的に、
第１発見信号の長さを判断し、
第１発見信号の長さに従って、第１発見信号の任意のＲＶがｎ個のＰＲＢ  Ｐａｉｒ（ｎは２以上の正の整数）を占有すると判断し、
第１発見信号内の第１インジケーション情報を構成する
よう構成されており、
第１インジケーション情報は、第１発見信号により占有されるＰＲＢ  Ｐａｉｒの数ｊを示すのに用いられ、ｊは、ｆでｎを乗算することにより得られる値と等しく、ｆは、第１リソースにおいてＵＥにより送信されるＲＶの数である。
【００１５】
第２の態様、または第２の態様の第１の可能な実装態様に関連し、第２の態様の第２の可能な実装態様において、第１リソース位置は、ｊ個のＰＲＢ  Ｐａｉｒおよびｍ個のサブフレーム（ｍは１以上の正の整数、ｊは１より大きな正の整数、ｊ≧ｍ）を含むｈ個のリソース位置（ｈは１より大きな正の整数）のうち１つであり、ｈ個のリソース位置は重ならない。
【００１６】
第２の態様の第２の可能な実装態様に関連し、第２の態様の第３の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず周波数領域に従って、それから時間領域に従って判断され、各リソース位置にあるＰＲＢ  Ｐａｉｒの番号は連続的である。
【００１７】
第２の態様の第２の可能な実装態様に関連し、第２の態様の第４の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず時間領域に従って、それから周波数領域に従って判断され、各リソース位置にあるＰＲＢ  Ｐａｉｒの番号は連続的である。
【００１８】
第２の態様から第２の態様の第４の可能な実装態様に関連し、第２の態様の第５の可能な実装態様において、マッピングユニットは具体的に、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするよう構成されており、
ｆ個のＲＶのうち各ＲＶの、少なくとも２つのＰＲＢ  Ｐａｉｒへの一連のマッピングは、まず周波数領域に従って、それから時間領域に従って判断される。
【００１９】
第２の態様から第２の態様の第４の可能な実装態様に関連し、第２の態様の第６の可能な実装態様において、マッピングユニットは具体的に、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするよう構成されており、
ｆ個のＲＶのうち各ＲＶの、少なくとも２つのＰＲＢ  Ｐａｉｒへの一連のマッピングは、まず時間領域に従って、それから周波数領域に従って判断される。
【００２０】
第３の態様によると、ユーザ機器ＵＥが提供され、ＵＥは、
プロセッサと、
トランシーバと、
メモリと、
通信バスと
を備え、
通信バスは、プロセッサと、トランシーバと、メモリとの間の接続および通信のために構成され、
トランシーバは、ＵＥと外部との間の通信のために構成され、
プロセッサは、メモリに格納されているプログラムコードを呼び出して、第１の態様のうち何れか１つに記載の方法を実行するよう構成されている。
【００２１】
本願発明の複数の実施形態により提供される送信方法およびユーザ機器は、各ＲＶが１つのＰＲＢ  Ｐａｉｒでしか送信され得ず、エンコード性能が悪化するという従来技術における課題を解決出来、エンコード性能を改善出来る。
【図面の簡単な説明】
【００２２】
【図１】本願発明の実施形態に係るＰＲＢ  Ｐａｉｒの構成の模式図である。
【００２３】
【図２】本願発明の実施形態に係る送信ブロックのＲＶの模式図である。
【００２４】
【図３】本願発明の実施形態に係るある場合におけるＲＶ送信カバレッジの図である。
【００２５】
【図４】本願発明の実施形態に係る他の場合におけるＲＶ送信カバレッジの図である。
【００２６】
【図５】本願発明の実施形態に係る送信方法の概略フローチャートである。
【００２７】
【図６】本願発明の実施形態に係るあるタイプのリソースプール分割の模式図である。
【００２８】
【図７】本願発明の実施形態に係る他のタイプのリソースプール分割の模式図である。
【００２９】
【図８】本願発明の実施形態に係るさらに他のタイプのリソースプール分割の模式図である。
【００３０】
【図９】本願発明の実施形態に係る第１発見信号の送信データマッピングの模式図である。
【００３１】
【図１０】本願発明の実施形態に係る他の第１発見信号の送信データマッピングの模式図である。
【００３２】
【図１１】本願発明の実施形態に係るあるタイプのＵＥの概略構造図である。
【００３３】
【図１２】本願発明の実施形態に係る他のタイプのＵＥの概略構造図である。
【発明を実施するための形態】
【００３４】
以下では、本願発明の複数の実施形態におけるそれら技術的解決法が、本願発明の複数の実施形態における添付の複数の図面に関連し明確かつ完全に説明される。明らかに、説明されているそれら実施形態は、本願発明の複数の実施形態のうち全てではなく単にいくつかのものである。本願発明の複数の実施形態に基づいて創造的努力なしで当業者により得られる全ての他の実施形態が、本願発明の保護範囲内に含まれるであろう。
【００３５】
以下の複数の実施形態の説明を明確かつ簡潔とすべく、いくつかの簡単な前置きがまず提供される。
【００３６】
まず、発見信号のものであり１つのＰＲＢ  Ｐａｉｒで送信され得る複数のデータビットは以下の通りである。
【００３７】
図１に示されているように、図１は、１つのＰＲＢ  Ｐａｉｒの模式図である。各小格子は、１つのリソースエレメント（英語でのフルネームは、ｒｅｓｏｕｒｃｅ  ｅｌｅｍｅｎｔ、英語での略称は、ＲＥ）であり得る。１つのＰＲＢ  Ｐａｉｒは周波数領域において、２ビットのデータ情報をそれぞれが伝達出来る１２個のサブキャリアを含む。１つのＰＲＢ  Ｐａｉｒは時間領域において、１ビットのデータ情報がそれぞれのシンボルで送信され得る１４または１２個のシンボルを含み、基準信号を送信するのに２つのシンボルが用いられる。１つのＰＲＢ  Ｐａｉｒで、１２×２×（１４−２）＝２８８ビットまたは１２×２×（１２−２）＝２４０のデータ情報がさらに送信され得ることが上記から分かり得る。
【００３８】
第２に、ＲＶ（英語でのフルネームは、Ｒｅｄｕｎｄａｎｃｙ  Ｖｅｒｓｉｏｎ）に関する簡単な前置きは以下の通りである。
【００３９】
ＲＶは、インクリメンタル冗長性（英語でのフルネームは、Ｉｎｃｒｅｍｅｎｔａｌ  ｒｅｄｕｎｄａｎｃｙ、英語での略称は、ＩＲ）ハイブリッド自動リピート要求（英語でのフルネームは、Ｈｙｂｒｉｄ  Ａｕｔｏｍａｔｉｃ  Ｒｅｐｅａｔ  Ｒｅｑｕｅｓｔ、英語での略称は、ＨＡＲＱ）の送信を実装する、つまり、エンコーダにより生成された冗長ビットをいくつかのグループに分割するために設計される。各ＲＶは、初期位置（送信開始点とも呼ばれる）を有する。冗長ビットの段階的な蓄積を実装し、ＩＲ  ＨＡＲＱオペレーションを完了するよう、１回目の転送、および各回のＨＡＲＱ再送信において異なる複数のＲＶが用いられる。ロングタームエボリューション（英語でのフルネームは、Ｌｏｎｇ  Ｔｅｒｍ  Ｅｖｏｌｕｔｉｏｎ、英語での略称は、ＬＴＥ）の研究過程において、４および８というＲＶの２つの数が一旦、考慮に入れられた。議論の後、４つのＲＶを用いることが決定された。ＲＶの定義は、ソフトウェアバッファのサイズに関連する。送信側のサーキュラーバッファと受信側のソフトウェアバッファとのうちより小さい方が選択され、４つのＲＶはこの範囲で均等に分散させられる。
【００４０】
図２は、送信ブロックのＲＶの模式図である。半径がｒ１の円周と、半径がｒ２の円周とにより形成される環は、２つの部分で満たされている。１つの部分はシステムビットであり、もう１つの部分はチェックビットである。エンコードの間、１つの情報ビットが２つのチェックビットを生成し、したがってシステムビット：チェックビット＝１：２である。ＲＶがＲＶ０であるとき（その送信が１回目の送信であると仮定される）、比較的多くのシステムビットが送信される。受信側がこの回のデコードに失敗した後、受信側は送信側に、１回目の再送信を実行するよう命令し（ＲＶはＲＶ１であると仮定される）、このように、より多くの新たな冗長ビットが送信される。受信側は、前回のデコード失敗の間、データを破棄せず、再送信された新たな冗長ビットに関連し更なるデコードを実行する。依然としてエラーが生じる場合、受信側は続けて、送信側に、２回目の再送信を実行するよう命令し（ＲＶはＲＶ２であると仮定される）、より多くの新たな冗長ビットが転送される。同様に、依然としてエラーが生じる場合、受信側は続けて、送信側に、３回目の再送信を実行するよう命令し（ＲＶはＲＶ３であると仮定される）、より多くの新たな冗長ビットが転送される。再送信の回数がより多いということは、受信側が正確なデコードを実行し、送信側に、新たなデータを送信するよう命令するまで、受信側が組み合わせを実行した後に得られるコードレートがより低いこと、およびデコードが正確である確率がより高いことを示す。ここで、
【数１】
0006345257.tif 000002
は、ＲＶ０が送信されるときに送信されるシステムビットのオフセット、つまり、ＲＶ０において送信される、１番目のビットからではなく
【数２】
0006345257.tif 000003
番目のビットから開始するシステムビットを表す。
【００４１】
各ＲＶは、１つのＰＲＢ  Ｐａｉｒで送信され得ると仮定される。テーブル１に示されているように、テーブル１は４つのサブフレーム内の４つのＰＲＢ  Ｐａｉｒを示し、ここで各小格子は、１つのサブフレーム内の１つのＰＲＢ  Ｐａｉｒを表す。
テーブル１
【表１】
0006345257.tif 000004
【００４２】
送信される発見信号が、４つのＰＲＢ  Ｐａｉｒを占有する必要がある、つまり、テーブル１に従って、エンコードされた信号の４つの異なるバージョンが４つのＰＲＢ  Ｐａｉｒにおいて送信される場合、図３に示されているカバレッジステータスが得られる。つまり、全ての符号化ビットが、４つのサブフレームにおける４つのＰＲＢ  Ｐａｉｒを通じて正確に送信され得る。送信される発見信号が、８つのＰＲＢ  Ｐａｉｒを占有する必要があり、テーブル１に従って、各ＲＶが１つのサブフレームにおける１つのＰＲＢで送信され得る場合、図４に示されているカバレッジステータスが得られる。つまり、各ＲＶの符号化ビットの半分のみが、１つのサブフレームにおける１つのＰＲＢを通じて送信され得る。１つのＲＶの送信される符号化ビットが１つより多くのＰＲＢ  Ｐａｉｒを占有する必要が場合、エンコードおよびデコード性能が悪化し得ることが上記から分かり得る。  実施形態１
【００４３】
本願発明の本実施形態は送信方法を提供する。同方法は、ユーザ機器（英語でのフルネームは、Ｕｓｅｒ  Ｅｑｕｉｐｍｅｎｔ、英語での略称は、ＵＥ）に適用される。具体的に同方法は、図５に示されているように、以下を含む。
【００４４】
５０１．ＵＥが、第１発見信号を判断する。
【００４５】
具体的に、本願発明の本実施形態において、発見信号を送信するとき、ＵＥはまず、第１発見信号を判断する。
【００４６】
ＵＥは、Ｄ２Ｄ  ＰｒｏＳｅプロセスで発見信号を送信出来るＵＥである。
【００４７】
具体的に、ＵＥが第１発見信号を判断するとは、
ＵＥが、第１発見信号の長さを判断し、
ＵＥが、第１発見信号の長さに従って、第１発見信号の任意のＲＶがｎ個のＰＲＢ  Ｐａｉｒ（ｎは２以上の正の整数）を占有すると判断し、
ＵＥが、第１発見信号内の第１インジケーション情報を構成し、
第１インジケーション情報は、第１発見信号により占有されるＰＲＢ  Ｐａｉｒの数ｊを示すのに用いられ、ｊは、ｆでｎを乗算することにより得られる値と等しく、ｆは、第１リソースにおいてＵＥにより送信されるＲＶの数である。
【００４８】
ＵＥは、第１発見信号を構築し得ることに留意されるべきである。例えば、ＵＥは、ＵＥにより提供され得るサービスに従って、送信される必要がある第１発見信号を構築し得る。第１発見信号は、ＵＥにより提供されるサービスについての情報を伝達出来る。ＵＥが第１発見信号の構築を完了した後、第１発見信号の長さも判断され、第１発見信号の長さも判断される。ＵＥはその長さを判断し得る。第１発見信号の長さは、第１発見信号がエンコードされる前の第１発見信号の長さであり得、または、第１発見信号がエンコードされた後の第１発見信号の長さであり得、または、第１発見信号がエンコードされた後の第１発見信号の長さであり得る。本願発明の本実施形態は、このことに関して具体的な制限を課さない。
【００４９】
例示的に、第１発見信号がエンコードされる前の第１発見信号の長さが７６８ビットであり、エンコードルールが、１つの情報ビットがエンコードの間に２つのチェックビットを生成するということである場合、第１発見信号がエンコードされる前の第１発見信号の長さに従って、第１発見信号がエンコードされた後の第１発見信号の長さは７６８×３＝２３０４ビットであると判断される。それから、図１に関連し、発見信号の２８８ビットのデータが、１つのＰＲＢ  Ｐａｉｒで送信され得る。したがって、第１発見信号の全ての符号化ビットのために以下の数のＰＲＢ  Ｐａｉｒが要求されると判断され得る。Ｎ＝２３０４ビット／２８８ビット＝８。
【００５０】
第１発見信号がエンコードされた後に４つのＲＶが得られ得ると仮定される。それから、第１発見信号の任意のＲＶにより占有されるＰＲＢ  Ｐａｉｒの数が判断され得る。ｎ＝［Ｎ／ｋ］＝［８／４］＝２。ここで、Ｎは、第１発見信号の全ての符号化ビットのために要求されるＰＲＢ  Ｐａｉｒの数を表し、ｋは、第１発見信号がエンコードされた後に得られる第１発見信号のＲＶの数を表し、［］は右に丸めることを表す。
【００５１】
Ｎ／ｋが整数であるとき、先述の式を用いて得られる、第１発見信号の任意のＲＶにより占有されるＰＲＢ  Ｐａｉｒの数ｎの最小値は、第１発見信号の全てのＲＶの全ての符号化ビットが正確に送信され得るＰＲＢ  Ｐａｉｒの数であることに留意されるべきである。もちろん、ＲＶが送信されているときの冗長性の必要性を考慮して、数ｎは僅かに大きくなり得、つまり、その数はいくつかの係数により大きくなり得、例えば、ｎ＝［Ｎ／ｋ］＋１となり、ｎ＝３となる。本願発明の本実施形態は、このことに関して具体的な制限を課さない。
【００５２】
もちろん、上記では単に例示的に、第１発見信号の長さに従って、第１発見信号の任意のＲＶにより占有されるＰＲＢ  Ｐａｉｒの数ｎをＵＥにより判断するための方法が提供されている。もちろん、他の可能な実装態様もあり得る。例えば、ＵＥは、テーブル２Ａに示されている対応関係を格納する。第１発見信号がエンコードされた後の第１発見信号の長さが２３０４ビットである場合、テーブル２に示されている対応関係に従って、第１発見信号の任意のＲＶにより占有されるＰＲＢ  Ｐａｉｒの数ｎは２であると判断され得る。本願発明の本実施形態は、第１発見信号の長さに従って、第１発見信号の任意のＲＶにより占有されるＰＲＢ  Ｐａｉｒの数ｎをＵＥにより判断するための方法に関して具体的な制限を課さない。
テーブル２
【表２】
0006345257.tif 000005
【００５３】
もちろん、ＵＥは、第１発見信号がエンコードされる前の第１発見信号の長さと、第１発見信号の任意のＲＶにより占有されるＰＲＢ  Ｐａｉｒの数ｎとの間の対応関係を格納してもよい。第１発見信号の長さが、第１発見信号がエンコードされる前の第１発見信号の長さである場合、ＵＥは直接、その対応関係に従って、第１発見信号の任意のＲＶにより占有されるＰＲＢ  Ｐａｉｒの対応する数ｎを判断し得る。本願発明の本実施形態は、このことに関して具体的な制限を課さない。
【００５４】
加えて、第１発見信号を判断するプロセスにおいて、第１発見信号の長さに従って、第１発見信号の任意のＲＶにより占有されるＰＲＢ  Ｐａｉｒの数ｎを判断した後、ＵＥはさらに、第１発見信号内の第１インジケーション情報を構成し、第１インジケーション情報は、第１発見信号により占有されるＰＲＢ  Ｐａｉｒの数ｊを示すのに用いられ、ｊは、ｆでｎを乗算することにより得られる値と等しく、ｆは、第１リソースにおいてＵＥにより送信されるＲＶの数である。このように、発見信号を受信するＵＥが、受信された発見信号に対して検出を実行しているとき、受信および検出の複雑性が軽減され得る。
【００５５】
具体的に、以下に説明されるように、本願発明の本実施形態において、異なる数のＰＲＢ  Ｐａｉｒを占有している複数の発見信号が、それら発見信号を送信するプロセスにおいて送信され得る。例えば、現在、ｊ１個のＰＲＢ  Ｐａｉｒを占有している発見信号が送信され得、または、ｊ２個のＰＲＢ  Ｐａｉｒを占有している発見信号が送信され得る。ここで、ｊ１＜ｊ２である。したがって、第１リソース位置において、ｊ１個のＰＲＢ  Ｐａｉｒを占有している発見信号が伝送され得、または、ｊ２個のＰＲＢ  Ｐａｉｒを占有している発見信号のｊ１個のＰＲＢ  Ｐａｉｒの部分が、伝送され得る。発見信号を受信するＵＥは、第１リソース位置において発見信号が含まれているかを検出する。ここでその発見信号は、ｊ１個のＰＲＢ  Ｐａｉｒの複数の送信リソースを占有している発見信号であり得、または、ｊ２個のＰＲＢ  Ｐａｉｒの複数の送信リソースを占有している発見信号であり得る。第１発見信号により占有されるＰＲＢ  Ｐａｉｒの数ｊを示す第１インジケーション情報を第１発見信号においてＵＥが構成する場合、第２リソース位置において送信される第１発見信号を、発見信号を受信するＵＥが第１リソース位置において検出する場合、ＵＥは、第２リソース位置において、または第２リソース位置に重なる他の第１リソース位置において発見信号を検出する必要がなく、このことは、第２のＵＥにより発見信号を検出する複雑性を軽減し得る。第１リソース位置は、ｊ１個のＰＲＢ  Ｐａｉｒおよびｍ１個のサブフレームを含む。ここで、ｊ１≧ｍ１である。第２リソース位置はｊ２個のＰＲＢ  Ｐａｉｒおよびｍ２個のサブフレームを含む。ここでｊ２≧ｍ２である。
【００５６】
例示的に、現在、１つのＰＲＢ  Ｐａｉｒを占有している発見信号が送信され得る、または２つのＰＲＢ  Ｐａｉｒを占有している発見信号が送信され得ると仮定される。発見信号を受信するＵＥが（ＰＲＢ  １，サブフレーム  １）において検出を実行するとき、そのＰＲＢ  Ｐａｉｒにおいて、１つのＰＲＢ  Ｐａｉｒを占有している発見信号が伝送され得、または、２つのＰＲＢ  Ｐａｉｒを占有している発見信号の２つのＰＲＢ  Ｐａｉｒのうち１つのＰＲＢ  Ｐａｉｒが伝送され得る。それから、送信ルールに従ってデータパケットがパーシングされた場合、発見信号を受信するＵＥは、発見信号が（ＰＲＢ  １，サブフレーム  １）に含まれるかを１回検出し、発見信号が（ＰＲＢ  １，サブフレーム  ２）に含まれるかを１回検出し、発見信号が（ＰＲＢ  １，サブフレーム  １）と（ＰＲＢ  １，サブフレーム  ２）とに含まれるかを１回検出する必要があり、つまり、２つのＰＲＢ  Ｐａｉｒに関して、ＵＥは、発見信号に関する検出を３回実行する必要がある。しかし、本願発明の本実施形態において提供される複数の解決法が用いられたとき、（ＰＲＢ  １，サブフレーム  １）において第１発見信号を検出した後、発見信号を受信するＵＥは、第１発見信号が２つのＰＲＢ  Ｐａｉｒを占有していることを認識し、したがって、発見信号を受信するＵＥは、他の発見信号ではなく第１発見信号の他のＲＶが（ＰＲＢ  １，サブフレーム  ２）において伝送されていると判断出来る。この場合、発見信号を受信するＵＥは、発見信号が（ＰＲＢ  １，サブフレーム  ２）に含まれるかを検出する必要がなく、また、発見信号が（ＰＲＢ  １，サブフレーム  １）と（ＰＲＢ  １，サブフレーム  ２）とに含まれるかを検出する必要がなく、つまり、２つのＰＲＢ  Ｐａｉｒおよびサブフレームにおいて、ＵＥは、発見信号に関する検出を１回のみ実行する必要があり、したがって、発見信号を受信するＵＥにより同発見信号を受信する複雑性が軽減され得る。
【００５７】
５０２．第１発見信号をエンコードした後、ＵＥは、第１発見信号のｋ個のＲＶ（ｋは１以上の正の整数）のそれぞれの初期位置を得る。
【００５８】
具体的に、第１発見信号を判断した後、ＵＥは第１発見信号をエンコードする。本願発明の本実施形態は、具体的なエンコードスキームおよび具体的なエンコードルールに関して具体的な制限を課さない。
【００５９】
第１発見信号がエンコードされた後、ｋ個のＲＶ（ｋは１以上の正の整数）のそれぞれの初期位置が得られ得る。
【００６０】
例示的に、図２に描写されているエンコードスキームが用いられた場合、１つの情報ビットは２つのチェックビットを生成し、図２に示されている４つのＲＶ（ｋ＝４）のそれぞれの初期位置が、エンコードの後に得られ得る。
【００６１】
５０３．ＵＥは、ｋ個のＲＶのうちｆ個のＲＶ（ｆは１以上でありｋ以下である正の整数）のそれぞれの初期位置に従って、ｆ個のＲＶのうち各ＲＶを第１リソース位置の少なくとも２つのＰＲＢ  Ｐａｉｒに別々にマッピングする。
【００６２】
具体的に、第１リソース位置は、既存の固定構造を用いるリソース位置であり得、例えば、２つのＰＲＢ  Ｐａｉｒまたは４つのＰＲＢ  Ｐａｉｒが規則的に用いられる。
【００６３】
好ましくは、発見信号の構成は常に同じではない。例えば、発見信号が４つの部分を含み得る。第１の部分は、モバイルサービス国コード（英語でのフルネームは、Ｍｏｂｉｌｅ  Ｃｏｕｎｔｒｙ  Ｃｏｄｅ、英語での略称は、ＭＣＣ）または同様のものを含むネットワークパラメータであり、第２の部分は、近接サービスサーバアイデンティティ（英語でのフルネームは、ＰｒｏＳｅ  Ｓｅｒｖｅｒ  Ｉｄｅｎｔｉｔｙ、英語での略称は、ＰｒｏＳｅ  Ｓｅｒｖｅｒ  ＩＤ）または同様のものを含む近接サービスパラメータであり、第３の部分は、アプリケーションアイデンティティまたは同様のものを含むアプリケーションパラメータであり、第４の部分は、ＵＥアイデンティティまたは同様のものを含むＵＥパラメータである。先述の４つの部分のコンテンツにおいて、異なる複数のアプリケーションが、異なる数のＵＥに対応し得、または異なる数のＵＥが、同じアプリケーションに関してであっても異なるステージで用いられ得る。したがって、発見信号の全体の長さは可変値である。しかし、発見信号の全体の長さが可変的であるケースにおいて、依然として固定構造を用いて発見信号が送信されるとき、システムリソースの無駄またはリソースの非効率が引き起こされる可能性が高い。したがって、第１リソース位置は、ｊ個のＰＲＢ  Ｐａｉｒおよびｍ個のサブフレーム（ｍは１以上の正の整数、ｊ≧ｍ）を含むｈ個のリソース位置（ｈは１より大きな正の整数）のうち１つであり得、ｈ個のリソース位置は重ならない。
【００６４】
つまり、物理層において第１発見信号を送信するとき、ＵＥは、送信構造を、第１発見信号の実際のサイズに従って判断し得る。例示的に、第１発見信号がエンコードされた後にｋ個のＲＶ（例えば、ｋ＝４）のそれぞれの初期位置が得られ、２つのＰＲＢ  Ｐａｉｒに対応するデータリソースを各ＲＶが含む場合、実際の送信プロセスにおいて、図２に描写されている送信ルールに従って第１発見信号の複数のＲＶが送信され、受信側が、２つのＲＶが送信された後に正確なデコードを実行し、送信側に、新たなデータを送信するよう命令する。このプロセスにおいて、ＵＥは、ＲＶ０およびＲＶ１のそれぞれの初期位置に従って、ＲＶ０およびＲＶ１を第１リソース位置の２つのＰＲＢ  Ｐａｉｒにそれぞれマッピングし、ここで第１リソース位置は、ｎ×ｆ＝２×２個のＰＲＢ  Ｐａｉｒに対応し、ｎは、第１発見信号の任意のＲＶにより占有されるＰＲＢ  Ｐａｉｒの数を表し、ｆは、第１発見信号の実際に送信されるＲＶの数を表す。従来技術における６つのＰＲＢ  Ｐａｉｒの固定構造を用いて第１発見信号が送信された場合、本願発明の本実施形態において提供される第１リソース位置は、システムリソースを節約出来る。従来技術における２つのＰＲＢ  Ｐａｉｒの固定構造を用いて第１発見信号が送信された場合、本願発明の本実施形態において提供される第１リソース位置は、第１発見信号が完全に送信されることを可能とする。
【００６５】
したがって、本願発明の本実施形態において提供される可変構造の第１リソース位置は、リソースの無駄またはリソースの非効率を引き起こすことなく、システムリソースが適切に利用されることを可能とする。
【００６６】
１つのサブフレームが複数のＰＲＢ  Ｐａｉｒを含み得るので、第１リソース位置に対応し得るＰＲＢ  Ｐａｉｒの数ｊは、サブフレームの数ｍより大きいかそれと等しいことに留意されるべきである。
【００６７】
例示的に、ｍ＝２およびｊ＝４の場合、このことは、第１リソース位置が、４つのＰＲＢ  Ｐａｉｒと、２つのＰＲＢ  Ｐａｉｒをそれぞれが含み得る２つのサブフレームとを含むリソース位置であることを示している。
【００６８】
ｊ個のＰＲＢ  Ｐａｉｒおよびｍ個のサブフレームを含むｈ個の第１リソース位置が構成されているとき、ｈ個のリソース位置が重ならない場合、異なる複数の第１発見信号に関してリソースマッピングが実行されたときリソースの重なりが防がれ得、それから、複数の信号間の干渉が軽減され得ることに留意されるべきである。
【００６９】
さらに、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず周波数領域に従って、それから時間領域に従って判断され、各リソース位置にあるＰＲＢ  Ｐａｉｒの番号は連続的である。
【００７０】
他の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず時間領域に従って、それから周波数領域に従って判断され、各リソース位置にあるＰＲＢ  Ｐａｉｒの番号は連続的である。
【００７１】
具体的に、リソースプールを分割するプロセスにおいて、リソース内の各ＰＲＢ  Ｐａｉｒはまず、リソースプール分割ルールに従って番号が付与され得る。例示的に、図６は、周波数領域において４つのＰＲＢを含み、時間領域において８つのサブフレームを含むリソースプールである。リソースプールが、まず周波数領域に従って、それから時間領域に従ってという大きなルールに従って分割される場合、（ＰＲＢ  １，サブフレーム  １）は１の番号が付与され得、（ＰＲＢ  ２，サブフレーム  １）は２の番号が付与され得、（ＰＲＢ  ３，サブフレーム  １）は３の番号が付与され得、（ＰＲＢ  ４，サブフレーム  １）は４の番号が付与され得、（ＰＲＢ  １，サブフレーム  ２）は５の番号が付与され得る、...等々であり、最後の（ＰＲＢ  ４，サブフレーム  ８）は３２の番号が付与され得る。またはリソースプールが、まず時間領域に従って、それから周波数領域に従ってという大きなルールに従って分割される場合、（ＰＲＢ  １，サブフレーム  １）は１の番号が付与され得、（ＰＲＢ  １，サブフレーム  ２）は２の番号が付与され得、（ＰＲＢ１，サブフレーム３）は３の番号が付与され得、（ＰＲＢ１，サブフレーム４）は４の番号が付与され得、...、（ＰＲＢ  ２，サブフレーム  １）は９の番号が付与され得る、...等々であり、最後の（ＰＲＢ  ４，サブフレーム  ８）は３２の番号が付与され得る。
【００７２】
ｊ＝１の場合、図６に示されているリソースプールにおいて、発見信号が各サブフレームの全ての４つのＰＲＢ  Ｐａｉｒに配置され得、１つのＰＲＢ  Ｐａｉｒをそれぞれが占有している合計４×８＝３２個の発見信号が配置され得る。
【００７３】
ｊ＝２の場合、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず周波数領域に従って、それから時間領域に従って判断され、各リソース位置にあるＰＲＢ  Ｐａｉｒの番号は連続的である。それから、図７に示されているリソースプール分割状況が得られ得る。この場合、第１リソース位置は、２つのＰＲＢ  Ｐａｉｒと１つのサブフレームとをそれぞれが含む１６個のリソース位置のうち１つである。第１発見信号が２つのＰＲＢ  Ｐａｉｒを占有する場合、図７に示されているリソースにおいて、第１発見信号は、１つのサブフレームの２つのＰＲＢ  Ｐａｉｒに配置され得る。例えば、図７において、第１発見信号は、（ＰＲＢ  １，サブフレーム  １）と（ＰＲＢ  ２，サブフレーム  １）とに配置され得、第１発見信号は、（ＰＲＢ  ３，サブフレーム  １）と（ＰＲＢ  ４，サブフレーム  １）とに配置され得、この場合、２つのリソースブロック、つまり、（ＰＲＢ  １，サブフレーム  １）および（ＰＲＢ  ２，サブフレーム  １）と、（ＰＲＢ  ３，サブフレーム  １）および（ＰＲＢ  ４，サブフレーム  １）とは重ならない。（ＰＲＢ  １，サブフレーム  １）と（ＰＲＢ  ２，サブフレーム  １）とに発見信号が配置され得るように構成された場合、発見信号は、（ＰＲＢ  ２，サブフレーム  １）と（ＰＲＢ  ３，サブフレーム  １）とに配置され得ない。リソースが重なるからである。
【００７４】
ｊ＝２の場合、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず時間領域に従って、それから周波数領域に従って判断され、各リソース位置にあるＰＲＢ  Ｐａｉｒの番号は連続的である。それから、図８に示されているリソースプール分割状況が得られ得る。この場合、第１リソース位置は、２つのＰＲＢ  Ｐａｉｒと２つのサブフレームとをそれぞれが含む１６個のリソース位置のうち１つのリソース位置である。第１発見信号が２つのＰＲＢ  Ｐａｉｒを占有する場合、図８に示されているリソースにおいて、第１発見信号は、２つのサブフレームの２つのＰＲＢ  Ｐａｉｒに配置され得る、発見信号が配置される複数のリソースは重なるべきではない。例えば、図８において、第１発見信号は、（ＰＲＢ  １，サブフレーム  １）と（ＰＲＢ  １，サブフレーム  ２）とに配置され得、第１発見信号は、（ＰＲＢ  １，サブフレーム  ３）と（ＰＲＢ  １，サブフレーム  ４）とに配置され得、この場合、２つのリソースブロック、つまり、（ＰＲＢ  １，サブフレーム  １）および（ＰＲＢ  １，サブフレーム  ２）と、（ＰＲＢ  １，サブフレーム  ３）および（ＰＲＢ  １，サブフレーム  ４）とは重ならない。（ＰＲＢ  １，サブフレーム  １）と（ＰＲＢ  １，サブフレーム  ２）とに発見信号が配置され得るように構成された場合、発見信号は、（ＰＲＢ  １，サブフレーム  ２）と（ＰＲＢ  １，サブフレーム  ３）とに配置され得ない。リソースが重なるからである。
【００７５】
同様に、第１発見信号がより多くのＰＲＢ  Ｐａｉｒを占有する必要がある場合、発見信号は、１つのサブフレームの複数のＰＲＢ  Ｐａｉｒ、または複数のサブフレームの複数のＰＲＢ  Ｐａｉｒに配置され得、本願発明の本実施形態は、このことに関して具体的な制限を課さない。
【００７６】
先述の２つの可能な実装態様は単に２つの可能な、例示的に提供されているリソースプール分割状況であることに留意されるべきである。もちろん、他のリソースプール分割の態様、例えば、２つのリソース位置が密に隣接しないようにさせられ得、ある量だけオフセットされている分割状況があり得る。本願発明の本実施形態はリソースプール分割状況に関して具体的な制限を課さず、ｈ個のリソース位置が重ならないという制限を課す。
【００７７】
具体的に、ＵＥが、ｋ個のＲＶのうちｆ個のＲＶのそれぞれの初期位置に従って、ｆ個のＲＶのうち各ＲＶを第１リソース位置の少なくとも２つのＰＲＢ  Ｐａｉｒに別々にマッピングするとは
ＵＥが、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングすることであって、ｆ個のＲＶのうち各ＲＶの、少なくとも２つのＰＲＢ  Ｐａｉｒへの一連のマッピングは、まず周波数領域に従って、それから時間領域に従って判断される、ことを有する。
【００７８】
例示的に、第１リソース位置が、図８に示されている（ＰＲＢ  １，サブフレーム  １）と（ＰＲＢ  １，サブフレーム  ２）とに対応する位置である場合、第１発見信号のＲＶ０が、（ＰＲＢ  １，サブフレーム  １）と（ＰＲＢ  １，サブフレーム  ２）とのうち各ＰＲＢ  Ｐａｉｒにマッピングされているとき、マッピングは、まず周波数領域に従って、それから時間領域に従って各ＰＲＢ  Ｐａｉｒにおいて実行され得、つまり、第１発見信号のＲＶ０の送信データがマッピングされているとき、データが、まず周波数領域に従ってマッピングを実行し、それから、時間領域に従ってマッピングを実行するための方法を用いて順次、（ＰＲＢ  １，サブフレーム  １）に配置される。（ＰＲＢ  １，サブフレーム  １）へのマッピングが完了したとき、データは依然として、まず周波数領域に従ってマッピングを実行し、それから時間領域に従ってマッピングを実行するための方法を用いて順次（ＰＲＢ  １，サブフレーム  ２）に配置される。図１に描写されている１つのＰＲＢ  Ｐａｉｒの構成の模式図に関連し、図９に描写されているマッピング結果が得られ得る。
【００７９】
もちろん、複数のサブフレームの複数のＰＲＢ  Ｐａｉｒのためのマッピング方法は、２つのサブフレームの２つのＰＲＢ  Ｐａｉｒのためのマッピング方法と同様であり、本願発明の本実施形態において詳細に説明されていない。
【００８０】
任意で、ＵＥが、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするとは、
ＵＥが、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングすることであって、ｆ個のＲＶのうち各ＲＶの、少なくとも２つのＰＲＢ  Ｐａｉｒへの一連のマッピングは、まず時間領域に従って、それから周波数領域に従って判断される、ことを含む。
【００８１】
例示的に、第１リソース位置が、図８に示されている（ＰＲＢ  １，サブフレーム  １）と（ＰＲＢ  １，サブフレーム  ２）とに対応する位置である場合、第１発見信号のＲＶ０が、（ＰＲＢ  １，サブフレーム  １）と（ＰＲＢ  １，サブフレーム  ２）とのうち各ＰＲＢ  Ｐａｉｒにマッピングされているとき、マッピングは、まず時間領域に従って、それから周波数領域に従って各ＰＲＢ  Ｐａｉｒにおいて実行され得、つまり、第１発見信号のＲＶ０の送信データがマッピングされているとき、データが、まず時間領域に従ってマッピングを実行し、それから、周波数領域に従ってマッピングを実行するための方法を用いて順次、（ＰＲＢ  １，サブフレーム  １）に配置される。（ＰＲＢ  １，サブフレーム  １）へのマッピングが完了したとき、データは依然として、まず時間領域に従ってマッピングを実行し、それから周波数領域に従ってマッピングを実行するための方法を用いて順次（ＰＲＢ  １，サブフレーム  ２）に配置される。図１に描写されている１つのＰＲＢ  Ｐａｉｒの構成の模式図に関連し、図１０に描写されているマッピング結果が得られ得る。
【００８２】
もちろん、複数のサブフレームの複数のＰＲＢ  Ｐａｉｒのためのマッピング方法は、２つのサブフレームの２つのＰＲＢ  Ｐａｉｒのためのマッピング方法と同様であり、本願発明の本実施形態において詳細に説明されていない。
【００８３】
図６から図８に示されているリソースプール分割の模式図において、各小格子は１つのＰＲＢ  Ｐａｉｒを表し、各ＰＲＢ  Ｐａｉｒが、１つのＰＲＢと１つのサブフレームとにより共に形成されていることに留意されるべきである。例えば、（ＰＲＢ  １，サブフレーム  １）はＰＲＢ  Ｐａｉｒを表し、ここでその周波数リソースはＰＲＢ１であり、時間リソースはサブフレーム１である。
【００８４】
ＲＶの部分の説明に関連して、ＲＶの冗長バージョンがＲＶ０であるとき（送信は１回目の送信であると仮定される）、比較的多くのシステムビットが送信されることが分かり得ることに留意されるべきである。受信側がこの回のデコードに失敗した後、受信側は送信側に、１回目の再送信を実行するよう命令し（ＲＶはＲＶ１であると仮定される）、このように、より多くの新たな冗長ビットが送信される。受信側は、前回のデコード失敗の間、データを破棄せず、再送信された新たな冗長ビットに関連し更なるデコードを実行する。依然としてエラーが生じる場合、受信側は続けて、送信側に、２回目の再送信を実行するよう命令し（ＲＶはＲＶ２であると仮定される）、より多くの新たな冗長ビットが転送される。同様に、依然としてエラーが生じる場合、受信側は続けて、送信側に、３回目の再送信を実行するよう命令し（ＲＶはＲＶ３であると仮定される）、より多くの新たな冗長ビットが転送される。受信側が正確なデコードを実行した場合、受信側は送信側に、新たなデータを送信するよう命令し得、この場合、第１発見信号の他のＲＶを送信し続け得る。したがって、第１発見信号がエンコードされた後にｋ個のＲＶが得られるが、実際の送信の間に全てのｋ個のＲＶを送信する必要がなく、第１発見信号のｆ個のＲＶ（１≦ｆ≦ｋ。ｆは正の整数）が、第１リソース位置において送信される。それから、ＵＥは、ｋ個のＲＶのうちｆ個のＲＶ（１≦ｆ≦ｋ。ｆは正の整数）のそれぞれの初期位置に従って、ｆ個のＲＶのうち各ＲＶを第１リソース位置の少なくとも２つの物理リソースブロックペアＰＲＢ  Ｐａｉｒに別々にマッピングする。
【００８５】
例示的に、ｆ＝２およびｋ＝４である場合、ＵＥは実際に、４つのＲＶのうち２つのＲＶを第１リソース位置の少なくとも２つのＰＲＢ  Ｐａｉｒに別々にマッピングする。
【００８６】
５０４．ＵＥは、第１リソース位置において、第１発見信号のｆ個のＲＶを送信する。
【００８７】
具体的に、ＵＥが、ｋ個のＲＶのｆ個のＲＶのそれぞれの初期位置に従って、ｆ個のＲＶのうち各ＲＶを、第１リソース位置の少なくとも２つの物理リソースブロックペアＰＲＢ  Ｐａｉｒに別々にマッピングした後、ＵＥは、第１リソース位置において、第１発見信号のｆ個のＲＶを送信する。
【００８８】
例示的に、第１リソース位置に含まれる複数のＰＲＢ  Ｐａｉｒが、（ＰＲＢ  １，サブフレーム  １）、（ＰＲＢ  １，サブフレーム  ２）、（ＰＲＢ１，サブフレーム３）、および（ＰＲＢ１，サブフレーム４）であると仮定される。第１発見信号のＲＶ０を（ＰＲＢ  １，サブフレーム  １）と（ＰＲＢ  １，サブフレーム  ２）とにマッピングした後、ＵＥは、第１リソース位置の対応する（ＰＲＢ  １，サブフレーム  １）と（ＰＲＢ  １，サブフレーム  ２）とにおいて第１発見信号のＲＶ０を送信し得、第１発見信号のＲＶ１を（ＰＲＢ１，サブフレーム３）と（ＰＲＢ１，サブフレーム４）とにマッピングした後、ＵＥは、第１リソース位置の対応する（ＰＲＢ１，サブフレーム３）と（ＰＲＢ１，サブフレーム４）とにおいて第１発見信号のＲＶ１を送信し得る。
【００８９】
本願発明の本実施形態において提供される先述の解決法に基づくと、第１発見信号を判断し、第１発見信号をエンコードして、第１発見信号のｋ個の冗長バージョンＲＶのそれぞれの初期位置を得た後、ＵＥはさらに、ｋ個のＲＶのうちｆ個のＲＶのそれぞれの初期位置に従って、ｆ個のＲＶのうち各ＲＶを、第１リソース位置の少なくとも２つの物理リソースブロックペアＰＲＢ  Ｐａｉｒに別々にマッピングし得、したがって従来技術における、各ＲＶが１つのＰＲＢ  Ｐａｉｒでしか送信され得ずエンコード性能が悪化するという課題が解消され得、エンコード性能が改善される。  実施形態２
【００９０】
本願発明の本実施形態は、ＵＥ１１００を提供する。具体的に、図１１に示されているように、ＵＥ１１００は、判断ユニット１１０１と、エンコードユニット１１０２と、マッピングユニット１１０３と、送信ユニット１１０４とを含む。
【００９１】
判断ユニット１１０１は、第１発見信号を判断するよう構成されている。
【００９２】
エンコードユニット１１０２は、判断ユニット１１０１により判断された第１発見信号をエンコードし、これにより、第１発見信号のｋ個の冗長バージョンＲＶ（ｋは１以上の正の整数）のそれぞれの初期位置を得るよう構成されている。
【００９３】
マッピングユニット１１０３は、エンコードユニット１１０２により得られた、ｋ個のＲＶのうちｆ個のＲＶ（ｆは１以上でありｋ以下である正の整数）のそれぞれの初期位置に従って、ｆ個のＲＶのうち各ＲＶを第１リソース位置の少なくとも２つの物理リソースブロックペアＰＲＢ  Ｐａｉｒに別々にマッピングするよう構成されている。
【００９４】
送信ユニット１１０４は、第１リソース位置において、第１発見信号のｆ個のＲＶを送信するよう構成されている。
【００９５】
具体的に、第１リソース位置は、ｊ個のＰＲＢ  Ｐａｉｒおよびｍ個のサブフレーム（ｍは１以上の正の整数、ｊ≧ｍ）を含むｈ個のリソース位置（ｈは１より大きな正の整数）のうち１つであり、ｈ個のリソース位置は重ならない。
【００９６】
可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず周波数領域に従って、それから時間領域に従って判断され、各リソース位置にあるＰＲＢ  Ｐａｉｒの番号は連続的である。
【００９７】
他の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず時間領域に従って、それから周波数領域に従って判断され、各リソース位置にあるＰＲＢ  Ｐａｉｒの番号は連続的である。
【００９８】
さらに、判断ユニット１１０１は具体的に、
第１発見信号の長さを判断し、
第１発見信号の長さに従って、第１発見信号の任意のＲＶがｎ個のＰＲＢ  Ｐａｉｒ（ｎは２以上の正の整数）を占有すると判断し、
第１発見信号内の第１インジケーション情報を構成する
よう構成されており、
第１インジケーション情報は、第１発見信号により占有されるＰＲＢ  Ｐａｉｒの数ｊを示すのに用いられ、ｊは、ｆでｎを乗算することにより得られる値と等しく、ｆは、第１リソースにおいてＵＥにより送信されるＲＶの数である。
【００９９】
さらに、マッピングユニット１１０３は具体的に、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするよう構成されており、
ｆ個のＲＶのうち各ＲＶの、少なくとも２つのＰＲＢ  Ｐａｉｒへの一連のマッピングは、まず周波数領域に従って、それから時間領域に従って判断される。
【０１００】
任意で、マッピングユニット１１０３は具体的に、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするよう構成されており、
ｆ個のＲＶのうち各ＲＶの、少なくとも２つのＰＲＢ  Ｐａｉｒへの一連のマッピングは、まず時間領域に従って、それから周波数領域に従って判断される。
【０１０１】
具体的に、ＵＥにより発見信号を送信するための方法に関しては、実施形態１における関連する説明を参照されたく、詳細は、本願発明の本実施形態において改めて説明されていない。
【０１０２】
本願発明の本実施形態において提供されるＵＥによると、従来技術における、各ＲＶが１つのＰＲＢ  Ｐａｉｒでしか送信され得ずエンコード性能が悪化するという課題が解消され得、エンコード性能が改善される。  実施形態３
【０１０３】
本願発明の本実施形態は、ＵＥ１２００を提供する。図１２に示されているように、ＵＥ１２００は、プロセッサ１２０１と、トランシーバ１２０２と、メモリ１２０３と、通信バス１２０４とを含む。
【０１０４】
通信バス１２０４は、プロセッサ１２０１と、トランシーバ１２０２と、メモリ１２０３との間の接続および通信のために構成されている。
【０１０５】
トランシーバ１２０２は、ＵＥ１２００と外部との間の通信のために構成されている。
【０１０６】
プロセッサ１２０１は、メモリ１２０３に格納されているプログラムコード１２０３１を呼び出して、
第１発見信号を判断するオペレーションと、
第１発見信号をエンコードした後、第１発見信号のｋ個の冗長バージョンＲＶ（ｋは１以上の正の整数）のそれぞれの初期位置を得るオペレーションと、
ｋ個のＲＶのうちｆ個のＲＶ（ｆは１以上でありｋ以下である正の整数）のそれぞれの初期位置に従って、ｆ個のＲＶのうち各ＲＶを、第１リソース位置の少なくとも２つの物理リソースブロックペアＰＲＢ  Ｐａｉｒに別々にマッピングするオペレーションと、
第１リソース位置において、第１発見信号のｆ個のＲＶを送信するオペレーションと
を実行するよう構成されている。
【０１０７】
具体的に、第１リソース位置は、ｊ個のＰＲＢ  Ｐａｉｒおよびｍ個のサブフレーム（ｍは１以上の正の整数、ｊ≧ｍ）を含むｈ個のリソース位置（ｈは１より大きな正の整数）のうち１つであり、ｈ個のリソース位置は重ならない。
【０１０８】
可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず周波数領域に従って、それから時間領域に従って判断され、各リソース位置にあるＰＲＢ  Ｐａｉｒの番号は連続的である。
【０１０９】
他の可能な実装態様において、ｈ個のリソース位置において、隣接するリソース位置のうち後者のリソース位置にある最初のＰＲＢ  Ｐａｉｒの番号は、１に、隣接するリソース位置のうち前者のリソース位置の最後のＰＲＢ  ｐａｉｒの番号を加えたものであり、一連のｈ個のリソース位置はまず時間領域に従って、それから周波数領域に従って判断され、各リソース位置にあるＰＲＢ  Ｐａｉｒの番号は連続的である。
【０１１０】
さらに、第１発見信号を判断するとは、
第１発見信号の長さを判断し、
第１発見信号の長さに従って、第１発見信号の任意のＲＶがｎ個のＰＲＢ  Ｐａｉｒ（ｎは２以上の正の整数）を占有すると判断し、
第１発見信号内の第１インジケーション情報を構成する
ことを含み、第１インジケーション情報は、第１発見信号により占有されるＰＲＢ  Ｐａｉｒの数ｊを示すのに用いられ、ｊは、ｆでｎを乗算することにより得られる値と等しく、ｆは、第１リソースにおいてＵＥにより送信されるＲＶの数である。
【０１１１】
さらに、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするとは、
ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングすることを含み、ｆ個のＲＶのうち各ＲＶの、少なくとも２つのＰＲＢ  Ｐａｉｒへの一連のマッピングは、まず周波数領域に従って、それから時間領域に従って判断される。
【０１１２】
任意で、ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングするとは、
ｋ個のＲＶのうちｆ個のＲＶのそれぞれの初期位置に従って、ｆ個のＲＶのうち各ＲＶを第１リソース位置の少なくとも２つの物理リソースブロックペアＰＲＢ  Ｐａｉｒに別々にマッピングすることを含み、ｆ個のＲＶのうち各ＲＶの、少なくとも２つのＰＲＢ  Ｐａｉｒへの一連のマッピングは、まず時間領域に従って、それから周波数領域に従って判断される。
【０１１３】
メモリ１２０３は、高速ランダムアクセスメモリ（Ｒａｎｄｏｍ  Ａｃｃｅｓｓ  Ｍｅｍｏｒｙ。ＲＡＭ）を含み得、または、不揮発性メモリ（ｎｏｎ−ｖｏｌａｔｉｌｅ  ｍｅｍｏｒｙ）、例えば、少なくとも１つの磁気ディスク記憶装置を含み得、本願発明の本実施形態は、このことに関して具体的な制限を課さない。
【０１１４】
具体的に、ＵＥにより送信信号を送信するための方法に関しては、実施形態１における関連する説明を参照されたく、詳細は、本願発明の本実施形態において改めて説明されていない。
【０１１５】
本願発明の本実施形態において提供されるＵＥによると、従来技術における、各ＲＶが１つのＰＲＢ  Ｐａｉｒでしか送信され得ずエンコード性能が悪化するという課題が解消され得、エンコード性能が改善される。
【０１１６】
簡便かつ簡単な説明を目的として、上記で説明された装置において、先述された複数の機能モジュールの分割は例示のための例として取り上げられていることを当業者には明白に理解され得る。実際の応用において先述の複数の機能は、異なる複数のモジュールに割り当てられ得、要求に従って実装され得、つまり、装置の内部構造が、上記で説明された複数の機能の全てまたは一部を実装するよう異なる複数の機能モジュールに分割される。先述のシステム、装置、およびユニットの詳細の作動プロセスに関しては、先述の方法の実施形態における対応するプロセスが参照され得、詳細は本明細書において改めて説明されていない。
【０１１７】
本願において提供されているいくつかの実施形態において、開示されたシステム、装置、および方法は他の複数の態様で実装され得ることが理解されるべきである。例えば、説明されている装置の実施形態は単に例示的なものである。例えば、モジュールまたはユニットの分割は、単に論理的な機能の分割であり、実際の実装においては他の分割であり得る。例えば、複数のユニットまたは構成要素が、他のシステムと組み合わせられるか、またはそれに統合され得、または、いくつかの特徴が無視されてもよく、または実行されなくてもよい。加えて、表示された、または論じられた複数の相互結合または複数の直接結合または複数の通信接続は、いくつかのインタフェースを用いて実装され得る。複数の装置間または複数のユニット間の複数の間接結合または複数の通信接続は電子的、機械的、または他の複数の形態で実装され得る。
【０１１８】
別個の複数の部分として説明されている複数のユニットは、物理的に別個であってもよく、または別個でなくてもよく、複数のユニットとして表示されている複数の部分は、複数の物理的なユニットであってもよく、または複数の物理的なユニットでなくてもよく、１つの位置に配置されてもよく、または、複数のネットワークユニット上で分散させられてもよい。複数のユニットのいくつかまたは全ては、複数の実施形態の複数の解決法の複数の目的を達成するための、実際の必要性に従って選択され得る。
【０１１９】
加えて、本願発明の複数の実施形態における複数の機能ユニットが、１つの処理ユニットに統合され得るか、または、複数のユニットのそれぞれが物理的に単独で存在し得、または、２つまたはそれより多くのユニットが１つのユニットに統合される。統合されたユニットは、ハードウェアの形態で実装され得、または、ソフトウェア機能ユニットの形態で実装され得る。
【０１２０】
統合されたユニットがソフトウェア機能ユニットの形態で実装され、独立した製品として販売または用いられるとき、統合されたユニットはコンピュータ可読記憶媒体に格納され得る。そのような理解に基づき、本願発明の複数の技術的解決法は基本的に、または従来技術に寄与する部分、または複数の技術的解決法の全てまたは一部は、ソフトウェア製品の形態で実装され得る。ソフトウェア製品は記憶媒体に格納され、本願発明の複数の実施形態において説明された複数の方法の複数の段階の全てまたは一部を実行するよう、（パーソナルコンピュータ、サーバ、またはネットワークデバイスであり得る）コンピュータデバイスまたはプロセッサに命令するためのいくつかの命令を含む。先述の記憶媒体は、ＵＳＢフラッシュドライブ、取り外し可能なハードディスク、読み取り専用メモリ（ＲＯＭ。Ｒｅａｄ−Ｏｎｌｙ  Ｍｅｍｏｒｙ）、ランダムアクセスメモリ（ＲＡＭ。Ｒａｎｄｏｍ  Ａｃｃｅｓｓ  Ｍｅｍｏｒｙ）、磁気ディスク、または光ディスクなどの、プログラムコードを格納出来る任意の媒体を含む。
【０１２１】
先述の説明は、本願発明の単に具体的な複数の実装態様であるが、本願発明の保護範囲を制限することは意図されていない。本願発明において開示されている技術的範囲内で当業者により容易に理解される何らかの変形例または置換例は、本願発明の保護範囲内に含まれる。したがって、本願発明の保護範囲は、特許請求項の保護範囲となる。
（項目１）
第１発見信号をユーザ機器ＵＥにより判断する段階と、
上記第１発見信号をエンコードした後に、上記第１発見信号のｋ個の冗長バージョンＲＶ（ｋは１以上の正の整数）のそれぞれの初期位置を上記ＵＥにより得る段階と、
上記ｋ個のＲＶのうちｆ個のＲＶ（ｆは、１以上でありｋ以下である正の整数）のそれぞれの初期位置に従って、上記ｆ個のＲＶのうち各ＲＶを第１リソース位置の少なくとも２つの物理リソースブロックペアＰＲＢ  Ｐａｉｒに、上記ＵＥにより別々にマッピングする段階と、
上記第１リソース位置において、上記第１発見信号の上記ｆ個のＲＶを上記ＵＥにより送信する段階と
を備える、送信方法。
（項目２）
第１発見信号をＵＥにより判断する上記段階は、
上記第１発見信号の長さを上記ＵＥにより判断する段階と、
上記第１発見信号の上記長さに従って、上記第１発見信号の任意のＲＶがｎ個のＰＲＢ  Ｐａｉｒ（ｎは２以上の正の整数）を占有すると上記ＵＥにより判断する段階と、
上記第１発見信号内の第１インジケーション情報を上記ＵＥにより構成する段階であって、上記第１インジケーション情報は、上記第１発見信号により占有されるＰＲＢ  Ｐａｉｒの数ｊを示すのに用いられ、ｊは、ｆでｎを乗算することにより得られる値と等しく、ｆは、上記第１リソースにおいて上記ＵＥにより送信されるＲＶの数である、段階と
を有する、項目１に記載の送信方法。
（項目３）
上記第１リソース位置は、ｊ個のＰＲＢ  Ｐａｉｒおよびｍ個のサブフレーム（ｍは１以上の正の整数、ｊは１より大きな正の整数、ｊ≧ｍ）を含むｈ個のリソース位置（ｈは１より大きな正の整数）のうち１つであり、上記ｈ個のリソース位置は重ならない、項目１または２に記載の送信方法。
（項目４）
上記ｈ個のリソース位置において、隣接するリソース位置のうち後者のリソース位置にある最初のＰＲＢ  Ｐａｉｒの番号は、１に、上記隣接するリソース位置のうち前者のリソース位置の最後のＰＲＢ  ｐａｉｒの番号を加えたものであり、一連の上記ｈ個のリソース位置はまず周波数領域に従って、それから時間領域に従って判断され、各リソース位置にあるＰＲＢ  Ｐａｉｒの番号は連続的である、項目３に記載の送信方法。
（項目５）
上記ｈ個のリソース位置において、隣接するリソース位置のうち後者のリソース位置にある最初のＰＲＢ  Ｐａｉｒの番号は、１に、上記隣接するリソース位置のうち前者のリソース位置の最後のＰＲＢ  ｐａｉｒの番号を加えたものであり、一連の上記ｈ個のリソース位置はまず時間領域に従って、それから周波数領域に従って判断され、各リソース位置にあるＰＲＢ  Ｐａｉｒの番号は連続的である、項目３に記載の送信方法。
（項目６）
上記ｋ個のＲＶのうちｆ個のＲＶのそれぞれの初期位置に従って、上記ｆ個のＲＶのうち各ＲＶを第１リソース位置の少なくとも２つの物理リソースブロックペアＰＲＢ  Ｐａｉｒに、上記ＵＥにより別々にマッピングする上記段階は具体的に、
上記ｋ個のＲＶのうち上記ｆ個のＲＶの上記それぞれの初期位置に従って、上記ｆ個のＲＶのうち各ＲＶを上記第１リソース位置の上記少なくとも２つの物理リソースブロックペアＰＲＢ  Ｐａｉｒに、上記ＵＥにより別々にマッピングする段階であって、上記ｆ個のＲＶのうち各ＲＶの、上記少なくとも２つのＰＲＢ  Ｐａｉｒへの一連のマッピングは、まず周波数領域に従って、それから時間領域に従って判断される、段階を有する、項目１から５の何れか一項に記載の送信方法。
（項目７）
上記ｋ個のＲＶのうちｆ個のＲＶのそれぞれの初期位置に従って、上記ｆ個のＲＶのうち各ＲＶを第１リソース位置の少なくとも２つの物理リソースブロックペアＰＲＢ  Ｐａｉｒに、上記ＵＥにより別々にマッピングする上記段階は、
上記ｋ個のＲＶのうち上記ｆ個のＲＶの上記それぞれの初期位置に従って、上記ｆ個のＲＶのうち各ＲＶを上記第１リソース位置の上記少なくとも２つの物理リソースブロックペアＰＲＢ  Ｐａｉｒに、上記ＵＥにより別々にマッピングする段階であって、上記ｆ個のＲＶのうち各ＲＶの、上記少なくとも２つのＰＲＢ  Ｐａｉｒへの一連のマッピングは、まず時間領域に従って、それから周波数領域に従って判断される、段階を有する、項目１から５の何れか一項に記載の送信方法。
（項目８）
判断ユニットと、
エンコードユニットと、
マッピングユニットと、
送信ユニットと
を備え、
上記判断ユニットは、第１発見信号を判断するよう構成されており、
上記エンコードユニットは、上記判断ユニットにより判断された上記第１発見信号をエンコードし、これにより、上記第１発見信号のｋ個の冗長バージョンＲＶ（ｋは１以上の正の整数）のそれぞれの初期位置を得るよう構成されており、
上記マッピングユニットは、上記エンコードユニットにより得られた上記ｋ個のＲＶのうちｆ個のＲＶ（ｆは１以上でありｋ以下である正の整数）のそれぞれの初期位置に従って、上記ｆ個のＲＶのうち各ＲＶを、第１リソース位置の少なくとも２つの物理リソースブロックペアＰＲＢ  Ｐａｉｒに別々にマッピングするよう構成されており、
上記送信ユニットは、上記第１リソース位置において上記第１発見信号の上記ｆ個のＲＶを送信するよう構成されている、ユーザ機器ＵＥ。
（項目９）
上記判断ユニットは具体的に、
上記第１発見信号の長さを判断し、
上記第１発見信号の上記長さに従って、上記第１発見信号の任意のＲＶがｎ個のＰＲＢ  Ｐａｉｒ（ｎは２以上の正の整数）を占有すると判断し、
上記第１発見信号内の第１インジケーション情報を構成する
よう構成されており、
上記第１インジケーション情報は、上記第１発見信号により占有されるＰＲＢ  Ｐａｉｒの数ｊを示すのに用いられ、ｊは、ｆでｎを乗算することにより得られる値と等しく、ｆは、上記第１リソースにおいて上記ＵＥにより送信されるＲＶの数である、項目８に記載のユーザ機器ＵＥ。
（項目１０）
上記第１リソース位置は、ｊ個のＰＲＢ  Ｐａｉｒおよびｍ個のサブフレーム（ｍは１以上の正の整数、ｊ≧ｍ）を含むｈ個のリソース位置（ｈは１より大きな正の整数）のうち１つであり、上記ｈ個のリソース位置は重ならない、項目８または９に記載のユーザ機器ＵＥ。
（項目１１）
上記ｈ個のリソース位置において、隣接するリソース位置のうち後者のリソース位置にある最初のＰＲＢ  Ｐａｉｒの番号は、１に、上記隣接するリソース位置のうち前者のリソース位置の最後のＰＲＢ  ｐａｉｒの番号を加えたものであり、一連の上記ｈ個のリソース位置はまず周波数領域に従って、それから時間領域に従って判断され、各リソース位置にあるＰＲＢ  Ｐａｉｒの番号は連続的である、項目１０に記載のユーザ機器ＵＥ。
（項目１２）
上記ｈ個のリソース位置において、隣接するリソース位置のうち後者のリソース位置にある最初のＰＲＢ  Ｐａｉｒの番号は、１に、上記隣接するリソース位置のうち前者のリソース位置の最後のＰＲＢ  ｐａｉｒの番号を加えたものであり、一連の上記ｈ個のリソース位置はまず時間領域に従って、それから周波数領域に従って判断され、各リソース位置にあるＰＲＢ  Ｐａｉｒの番号は連続的である、項目１０に記載のユーザ機器ＵＥ。
（項目１３）
上記マッピングユニットは具体的に、上記ｋ個のＲＶのうち上記ｆ個のＲＶの上記それぞれの初期位置に従って、上記ｆ個のＲＶのうち各ＲＶを上記第１リソース位置の上記少なくとも２つの物理リソースブロックペアＰＲＢ  Ｐａｉｒに別々にマッピングするよう構成されており、
上記ｆ個のＲＶのうち各ＲＶの、上記少なくとも２つのＰＲＢ  Ｐａｉｒへの一連のマッピングは、まず周波数領域に従って、それから時間領域に従って判断される、項目８から１２の何れか一項に記載のユーザ機器ＵＥ。
（項目１４）
上記マッピングユニットは具体的に、上記ｋ個のＲＶのうち上記ｆ個のＲＶの上記それぞれの初期位置に従って、上記ｆ個のＲＶのうち各ＲＶを上記第１リソース位置の上記少なくとも２つの物理リソースブロックペアＰＲＢ  Ｐａｉｒに別々にマッピングするよう構成されており、
上記ｆ個のＲＶのうち各ＲＶの、上記少なくとも２つのＰＲＢ  Ｐａｉｒへの一連のマッピングは、まず時間領域に従って、それから周波数領域に従って判断される、項目８から１２の何れか一項に記載のユーザ機器ＵＥ。
（項目１５）
プロセッサと、
トランシーバと、
メモリと、
通信バスと
を備え、
上記通信バスは、上記プロセッサと、上記トランシーバと、上記メモリとの間の接続および通信のために構成され、
上記トランシーバは、上記ＵＥと外部との間の通信のために構成され、
上記プロセッサは、上記メモリに格納されているプログラムコードを呼び出して、項目１から７の何れか一項に記載の送信方法を実行するよう構成されている、ユーザ機器ＵＥ。
【図１】
0006345257.tif 000006
【図２】
0006345257.tif 000007
【図３】
0006345257.tif 000008
【図４】
0006345257.tif 000009
【図５】
0006345257.tif 000010
【図６】
0006345257.tif 000011
【図７】
0006345257.tif 000012
【図８】
0006345257.tif 000013
【図９】
0006345257.tif 000014
【図１０】
0006345257.tif 000015
【図１１】
0006345257.tif 000016
【図１２】
0006345257.tif 000017